(57)【要約】【課題】本発明は、構造が簡単であるキーを提供する。【解決手段】本発明に係るキーは、キーキャップと、ベースと、回路基板と、を備え、前記キーキャップには、位置決め柱及びストッパー部が設けられ、前記ベースには、前記決め柱に対応する取付部と前記ストッパー部に対応する係止部とが設けられ、前記位置決め柱は、前記取付部に係合され、前記回路基板には、弾性部品が設けられ、前記弾性部品は、前記キーキャップと前記ベースとの間に配設され、前記キーキャップは、前記弾性部品の弾性力によって前記ベースに対して移動することができ、前記係止部は、前記キーキャップと前記ベースの分離を防止するように前記ストッパー部に係止される。【選択図】図１
2013004526.tif 000002
【特許請求の範囲】
【請求項１】
キーキャップと、ベースと、回路基板と、を備えるキーにおいて、
前記キーキャップには、位置決め柱及びストッパー部が設けられ、
前記ベースには、前記位置決め柱に対応する取付部と前記ストッパー部に対応する係止部とが設けられ、前記位置決め柱は、前記取付部に係合され、前記回路基板には、弾性部品が設けられ、前記弾性部品は、前記キーキャップと前記ベースとの間に配設され、前記キーキャップは、前記弾性部品の弾性力によって前記ベースに対して移動することができ、
前記係止部は、前記キーキャップと前記ベースとの分離を防止するように前記ストッパー部に係止されることを特徴とするキー。
【請求項２】
前記キーキャップは、頂面と前記頂面の反対側の底面とを備え、前記位置決め柱及び前記ストッパー部は、前記キーキャップの底面に垂直に突設され、前記ストッパー部は、互いに平行する２つの制限部と前記２つの制限部を接続する当接部とを備え、前記底面側には、前記２つの制限部、前記当接部及び前記底面によって囲まれた貫通孔が形成され、前記取付部には挿入孔が設けられ、前記位置決め柱は前記挿入孔に挿入されることを特徴とする請求項１に記載のキー。
【請求項３】
前記係止部は、位置決め部と前記位置決め部から延伸するフック部とを備え、前記位置決め部は、前記回路基板の前記ベースに対する相対的な前記ベース上での移動を制限し、前記ベースには、前記キーキャップの前記ストッパー部を挿入させることが可能な開口が開設され、前記係止部の前記位置決め部は、前記開口の一つの辺縁に連接され、前記係止部の前記フック部は、前記ストッパー部の前記貫通孔に挿入されて、前記キーキャップ及び前記ベースの分離を防止するように前記ストッパー部の前記当接部に掛止されることを特徴とする請求項２に記載のキー。
【発明の詳細な説明】
【技術分野】
【０００１】
本発明は、キーに関し、特にコンピューターのキーボードに用いられるキーに関するものである。
【背景技術】
【０００２】
コンピューターのキーボードは、配列した複数のキーからなる。従来のキーは、一般的に、ベース、回路基板、少なくとも１つのキャップ及び少なくとも２つの連接棒などを備え、５つ以上の素子からなるため、構造が複雑で、且つ製造コストも高い。
【発明の概要】
【発明が解決しようとする課題】
【０００３】
前記課題を解決するために、本発明は、構造が簡単であるキーを提供することを目的とする。
【課題を解決するための手段】
【０００４】
本発明に係るキーは、キーキャップと、ベースと、回路基板と、を備え、前記キーキャップには、位置決め柱及びストッパー部が設けられ、前記ベースには、前記位置決め柱に対応する取付部と前記ストッパー部に対応する係止部が設けられ、前記位置決め柱は、前記取付部に挿入され、前記回路基板には、弾性部品が設けられ、前記弾性部品は、前記キーキャップと前記ベースとの間に配設され、前記キーキャップは、前記弾性部品の弾性力によって前記ベースに対して移動することができ、前記係止部は、前記キーキャップと前記ベースとの分離を防止するように前記ストッパー部に係止される。
【発明の効果】
【０００５】
従来の技術と比べて、本発明に係るキーは、キーキャップ、ベース及び回路基板のみを備えるだけでよく、連接棒などの構造が必要ない。従って、構造が簡単で、且つ製造コストも低い。
【図面の簡単な説明】
【０００６】
【図１】本発明の実施形態に係るキーの分解斜視図である。
【図２】図１に示した本発明の実施形態に係るキーのキーキャップの下方側から斜視図である。
【図３】図１に示した本発明の実施形態に係るキーのベース及び回路基板の組立斜視図である。
【図４】図１に示した本発明の実施形態に係るキーの組立斜視図である。
【図５】図４に示したキーのＶ―Ｖ矢視間の縦断面図である。
【図６】図４に示したキーのＶＩ―ＶＩ矢視間の縦断面図である。
【図７】図４に示したキーのＶＩＩ―ＶＩＩ矢視間の縦断面図である。
【発明を実施するための形態】
【０００７】
以下、図面を参照して、本発明の実施形態について説明する。
【０００８】
図１を参照すると、本発明実施形態に係るキーは、キーキャップ１０と、ベース３０と、回路基板５０と、を備える。前記回路基板５０は導電性の薄膜回路基板である。
【０００９】
図１及び図２を参照すると、前記キーキャップ１０は、平面視において略正方形を呈しており、頂面１１と該頂面１１の反対側の底面１２とを備える。前記底面１２には、該底面１２から垂直に突出（すなわち、図２において上方へ延伸）する４本の位置決め柱１２１及び４つのストッパー部１２３がそれぞれ設けられている。前記４本の位置決め柱１２１は、円柱状を呈し、前記底面１２の四隅にそれぞれ配設されている。前記４つのストッパー部１２３は、前記４本の位置決め柱１２１の近傍にそれぞれに配設されている。各ストッパー部１２３はそれぞれ、前記底面１２からそれぞれ垂直に突出（すなわち、図２において上方に延伸）すると共に、互いに平行する２つの制限部１２３３と、該２つの制限部１２３３間に架設されて該２つの制限部２３３を接続する当接部１２３１と、を備える。前記当接部１２３１は、前記底面１２に平行する。また、前記底面１２側には、前記２つの制限部１２３３、前記当接部１２３１及び前記底面１２によって囲まれた貫通孔１２３５が、各ストッパー部１２３でそれぞれ形成される。
【００１０】
図１及び図３を参照すると、前記ベース３０は、平面視において略正方形を呈し、上表面３１を備える。前記上表面３１の四隅には、前記４本の位置決め柱１２１にそれぞれ対応する４つの取付部３１１が、前記上表面３１に対して垂直に設けられており、これらの各取付部３１１に前記位置決め柱１２１がそれぞれ係合される。具体的に説明すると、各取付部３１１には、前記位置決め柱１２１が長手方向に摺動可能に挿入される挿入孔３１１１がそれぞれ設けられている。前記上表面３１には、前記キーキャップ１０の前記４つのストッパー部１２３にそれぞれ対応する４つの係止部３１３が設けられている。各係止部３１３はそれぞれ、前記上表面３１から垂直に突出（すなわち、図１において上方に延伸）する位置決め部３１３１と、該位置決め部３１３１から前記上表面３１に対して平行に延伸するフック部３１３３と、をそれぞれ備える。また、前記上表面３１には、さらに各係止部３１３に隣接する４つの開口３１３５がそれぞれ設けられている。これらの各開口３１３５は、キーキャップ１０が押し下げられた際に前記ストッパー部１２３の先端が前記ベース３０の上表面３１に係止されないように、前記キーキャップ１０の前記ストッパー部１２３を挿入させることが可能な開口であり、概ね前記取付部３１１と前記係止部３１３の間に配設される。各係止部３１３の前記位置決め部３１３１は、各々に対応する前記開口３１３５の一つの辺縁にそれぞれ連接されていると共に該辺縁に対して垂直に延伸しており、各係止部３１３の前記フック部３１３３は、各々に対応する前記開口３１３５の直上でそれぞれ延伸する。すなわち、平面視において、位置決め部３１３１の側面の一部が開口３１３５の縁に接していると共にフック部３１３３は開口３１３５の内方側に向かって延出している。なお、各開口３１３５の形状は本実施形態では正方形になっているが、本発明における開口の形状はこれに限定されず、適宜変更可能である。
【００１１】
前記回路基板５０は、平面視において略十字架状を呈し、その中央部の表面に弾性部品５１が凸設され、前記回路基板５０の中央部の周囲には、４つの延伸部５３が形成されている。前記弾性部品５１は、支持部５３１１と、前記支持部５３１１の先端面（図における上面）に凸設された連接部５３１３と、前記連接部５３１３の先端面（図１における上面）に凸設された押圧部５３１５と、を備える。本実施形態において、前記支持部５３１１の横断面の面積は前記連接部５３１３の横断面の面積より大きく、前記連接部５３１３の横断面の面積は、前記押圧部５３１５の横断面の面積より大きい。すなわち、弾性部品５１は、回路基板５０の表面側からキーキャップ１０の底面１２側（図1における上側）に向かって多段状に縮径された形状を呈している。
【００１２】
図４〜図７を併せて参照すると、前記キーを組み立てる際、先ず、前記回路基板５０を前記ベース３０上に設置する。この時、前記回路基板５０の各延伸部５３を隣り合う２つの前記係止部３１３の間にそれぞれに配置させる。これにより、４つの前記係止部３１３の前記位置決め部３１３１によって、前記回路基板５０の前記ベース３０に対する相対的な前記ベース３０上での移動を制限することができる。次に、前記キーキャップ１０を前記ベース３０上に設置する。この時、前記キーキャップ１０の前記底面１２の前記４本の位置決め柱１２１は、前記ベース３０の前記４つの取付部３１１の前記挿入孔３１１１にそれぞれ挿入され、また、前記ストッパー部１２３の前記当接部１２３１が前記係止部３１３の前記フック部３１３３を乗り越えることで、該フック部３１３３は、前記ストッパー部１２３の前記貫通孔１２３５に挿入されて、前記当接部１２３１に係止（掛止）される。また、上述したように前記キーキャップ１０が前記ベース３０上に設置されると、前記キーキャップ１０の前記底面１２は、前記弾性部品５１の前記押圧部５３１５によって押圧される。また、前記弾性部品５１の縦断面の高さは、前記位置決め柱１２１の縦断面の高さより高いため、各々の前記位置決め柱１２１は、前記取付部３１１の挿入孔３１１１の底部に接触しない。
【００１３】
前記キーを使用する際、前記キーキャップ１０の前記頂面１１を押圧すると、前記弾性部品５１は弾性変形し、前記キーキャップ１０は、前記ベース３０側に向かって移動し、前記回路基板５０に接触する。前記回路基板５０は、前記キーキャップ１０の接触によって触発されて信号を送信する。また、前記キーキャップ１０の前記頂面１１にかけた押圧力を解除すると、前記キーキャップ１０は、前記弾性部品５１の弾性復帰によって、元の位置に戻る。
【符号の説明】
【００１４】
１０  キーキャップ
１１  頂面
１２  底面
１２１  位置決め柱
１２３  ストッパー部
１２３１  当接部
１２３３  制限部
１２３５  貫通孔
３０  ベース
３１  上表面
３１１  取付部
３１１１  挿入孔
３１３  係止部
３１３１  位置決め部
３１３３  フック部
３１３５  開口
５０  回路基板
５１  弾性部品
５３１１  支持部
５３１３  連接部
５３１５  押圧部
５３  延伸部
【図１】
2013004526.tif 000003
【図２】
2013004526.tif 000004
【図３】
2013004526.tif 000005
【図４】
2013004526.tif 000006
【図５】
2013004526.tif 000007
【図６】
2013004526.tif 000008
【図７】
2013004526.tif 000009